(57)【要約】【課題】従来型のスプレッドシートで、スプレッドシートのシートの複数範囲でセルの結合を実施する際は、マウスをその都度範囲毎にマウスでツールバーの『セルを結合して中央揃え』ボタンをクリックする為に動かさなければならなかった。【解決手段】スプレッドシートのシートの複数範囲でセルの結合を実施する際、従来型のスプレッドシートでの場合の様にマウスをその都度範囲毎にマウスでツールバーの『セルを結合して中央揃え』ボタンをクリックするために動かす必要を無くす為にスプレッドシートのツールバーの『セルを結合して中央揃え』ボタンの機能と同じ機能を新たに追加したスプレッドシートの任意のセル上でマウスの右ボタンを右クリックして表示されるショートカットメニューから『セルを結合して中央揃え』機能を実施できるようにする。【選択図】図１
2008027406.tif 000002
【特許請求の範囲】
【請求項１】
スプレッドシートでまとまって複数箇所の『セルを結合する』作業を行うような場合に、場所毎に、メニューバーやツールバー、メニューバーの機能と操作性が同じショートカットメニューなどから機能の設定を行う必要がないように、任意のセル上でマウスの右ボタンを右クリックして表示されるショートカットメニューにツールバーの『セルを結合して中央揃え』ボタンの機能と同じ機能を追加してより効率的にショートカット操作で『セルを結合する』作業を実施できるようにしたスプレッドシート。
【発明の詳細な説明】
【技術分野】
【０００１】スプレッドシートの『セルを結合する』機能に関する。
【背景技術】
【０００２】従来型のスプレッドシートの『セルを結合する』機能は、メニューバーの書式メニュー、ツールバーのボタン、メニューバーの機能と操作性が同じショートカットメニューから設定する方法であった。
【非特許文献１】日経ＰＣ２１  ２００６年７月号  日経ＢＰ社  ２００６年７月１日  ｐ．３６、３７
【非特許文献２】できる  Ｗｏｒｄ＆Ｅｘｃｅｌ２００３  株式会社インプレスジャパン  ２００６年４月２１日  ｐ．２８６、２８７
【発明の開示】
【発明が解決しようとする課題】
【０００３】従来型のスプレッドシートで、まとまって複数箇所の『セルを結合する』作業を行うような場合は、場所毎に、メニューバーやツールバーやメニューバーの機能と操作性が同じショートカットメニューから機能の設定を行わなければならなかった。【０００４】本発明は従来型のスプレッドシートの『セルを結合する』機能が有していたこのような問題を解決しようとする物であり、ショートカットメニューに新たな機能を追加することにより効率的な操作性のスプレッドシートの『セルを結合する』機能を実現することを目的とする物である。
【課題を解決するための手段】
【０００５】スプレッドシートでまとまって複数箇所の『セルを結合する』作業を行うような場合に、場所毎に、メニューバーやツールバー、メニューバーの機能と操作性が同じショートカットメニューなどから機能の設定を行う必要がないように、任意のセル上でマウスの右ボタンを右クリックして表示されるショートカットメニューにツールバーの『セルを結合して中央揃え』ボタンの機能と同じ機能を追加してより効率的にショートカット操作で『セルを結合する』作業が実施できるようにする。
【発明の効果】
【０００６】従来型のスプレッドシートのショートカットメニューに『セルを結合して中央揃えボタン』の機能と同じ機能を追加すると、まとまって複数箇所の『セルを結合する』作業を行うような場合に、場所毎に、メニューバーやツールバーやメニューバーの機能と操作性が同じショートカットメニューなどから機能の設定を行わないでも、より効率的にショートカット操作で『セルを結合する』作業を行うことができる。
【発明を実施するための最良の形態】
【０００７】スプレッドシートでまとまって複数箇所の『セルを結合する』作業を行うような場合に、場所毎に、メニューバーやツールバー、メニューバーの機能と操作性が同じショートカットメニューなどから機能の設定を行う必要がないように、任意のセル上でマウスの右ボタンを右クリックして表示されるショートカットメニューにツールバーの『セルを結合して中央揃え』ボタンの機能と同じ機能を追加してより効率的にショートカット操作で『セルを結合する』作業が実施できるようにする。
【図面の簡単な説明】
【０００８】
【図１】  「請求項１」に関するパソコンのディスプレイに表示された画面
【符号の説明】
【０００９】１  スプレッドシート画面
２  範囲選択された複数セル
３  メニューバー
４  ツールバー
５  ショートカットメニュー
６  ツールバーの『セルを結合して中央揃え』ボタン
７  ショートカットメニューに追加された『セルを結合して中央揃え』項目
８  オペレーティングシステムのタスクバー
【図１】
2008027406.tif 000003
【手続補正書】
【提出日】平成18年8月10日(2006.8.10)
【手続補正１】
【補正対象書類名】特許請求の範囲
【補正対象項目名】請求項１
【補正方法】変更
【補正の内容】
【請求項１】
スプレッドシートの複数範囲でセルの結合を実施する際、従来型のスプレッドシートでの場合の様にマウスをその都度範囲毎にマウスでツールバーの『セルを結合して中央揃え』ボタンをクリックするために動かす必要を無くす為にスプレッドシートのツールバーの『セルを結合して中央揃え』ボタンの機能と同じ機能を新たに追加したスプレッドシートの任意のセル上でマウスの右ボタンをクリックして表示されるショートカットメニューから『セルを結合して中央揃え』機能を実施できるようにしたスプレッドシート。
【手続補正３】
【補正対象書類名】明細書
【補正対象項目名】０００３
【補正方法】変更
【補正の内容】
【０００３】従来型のスプレッドシートで、スプレッドシートのシートの複数範囲でセルの結合を実施する際は、マウスをその都度範囲毎にマウスでツールバーの『セルを結合して中央揃え』ボタンをクリックする為に動かさなければならなかった。
【手続補正４】
【補正対象書類名】明細書
【補正対象項目名】０００５
【補正方法】変更
【補正の内容】
【０００５】スプレッドシートのシートの複数範囲でセルの結合を実施する際、従来型のスプレッドシートでの場合の様にマウスをその都度範囲毎にマウスでツールバーの『セルを結合して中央揃え』ボタンをクリックするために動かす必要を無くす為にスプレッドシートのツールバーの『セルを結合して中央揃え』ボタンの機能と同じ機能を新たに追加したスプレッドシートの任意のセル上でマウスの右ボタンを右クリックして表示されるショートカットメニューから『セルを結合して中央揃え』機能を実施できるようにする。
【手続補正５】
【補正対象書類名】明細書
【補正対象項目名】０００６
【補正方法】変更
【補正の内容】
【０００６】スプレッドシートのシートの複数範囲でセルの結合を実施する際、スプレッドシートのツールバーの『セルを結合して中央揃え』ボタンの機能と同じ機能を新たに追加したスプッドシートの任意のセル上でマウスの右ボタンを右クリックして表示されるショートカットメニューから『セルを結合して中央揃え』機能を実施できるうようにしたスプレッドシートでは、従来型のスプレッドシートでの場合の様にマウスをその都度範囲毎にマウスでツールバーの『セルを結合して中央揃え』ボタンをクリックするために動かす必要が無い。
【手続補正６】
【補正対象書類名】明細書
【補正対象項目名】０００７
【補正方法】変更
【補正の内容】
【０００７】スプレッドシートのシートの複数範囲でセルの結合を実施する際、従来型のスプレッドシートでの場合の様にマウスをその都度範囲毎にマウスでツールバーの『セルを結合して中央揃え』ボタンをクリックするために動かす必要を無くす為にスプレッドシートのツールバーの『セルを結合して中央揃え』ボタンの機能と同じ機能を新たに追加したスプレッドシートの任意のセル上でマウスの右ボタンを右クリックして表示されるショートカットメニューから『セルを結合して中央揃え』機能を実施できるようにする。